(57)【要約】【課題】リアクトルにおいてコアに対するコイルの組付作業性を向上させる。【解決手段】リアクトル１０を構成するコイル１２は、上層２２の外周部位から径方向外側へと延在した第１端部１８と、下層２４の外周部位から径方向外側へと延在した第２端部２０とを有している。そして、第１及び第２端部１８、２０は、コイル１２の軸方向から見て交差するように延在して交差部２６が形成されると共に、該第１端部１８は、軸方向上側となる上層２２から下方へとクランク状に折曲され、前記第２端部２０は、軸方向下側となる下層２４から上方へとクランク状に折曲されている。そして、第１端部１８と第２端部２０とが上下方向にも交差し、該第１端部１８の屈曲部位と該第２端部２０の屈曲部位とが面接触した接触部２８が形成される。【選択図】図１
2020202215.tif 000002
【特許請求の範囲】
【請求項１】
軸方向に２段となる第１及び第２巻層を有し、該第１及び第２巻層がα巻きでボビンに巻回されたコイルと、該ボビンと共に前記コイルの収容されるコアとを備え、前記第１巻層が軸方向上段、前記第２巻層が軸方向下段に配置されるリアクトルにおいて、
前記第１巻層の最外周部位から径方向外側へと延在し、前記コアの開口部から外部へと引き出される第１コイル端子と、
前記第２巻層の最外周部位から径方向外側へと延在し、前記コアの開口部から外部へと引き出される第２コイル端子と、
前記第１コイル端子及び前記第２コイル端子の先端と前記最外周部位との間において、前記コイルの軸方向に一部が重なるように交差した交差部と、
を備え、
前記第１コイル端子は、前記交差部から先端に向けて軸方向上段から軸方向下段へと折曲され延在する第１延在部を備え、前記第２コイル端子は、前記交差部から先端に向けて前記軸方向下段から前記軸方向上段に向けて折曲され延在する第２延在部を備える、リアクトル。
【請求項２】
請求項１記載のリアクトルにおいて、
前記第１及び第２延在部は、その延在方向と略直交する方向で互いに接触自在に設けられる、リアクトル。
【請求項３】
請求項１記載のリアクトルにおいて、
前記第１延在部と前記第２延在部との間に絶縁部材を備える、リアクトル。
【発明の詳細な説明】
【技術分野】
【０００１】
本発明は、α巻きで形成されたコイルの両端部を接触させ外部へと取り出すリアクトルに関する。
【背景技術】
【０００２】
従来から、α巻きで２段に巻回されたコイルと、該コイルの収納される一組のコアとを有したリアクトルが知られている。このリアクトルは、特許文献１に開示されるように、導電性を有して高さ方向に幅広なコイルをα巻きで２段且つ環状に巻回した第１巻回部及び第２巻回部を有し、前記第１巻回部と前記第２巻回部とが内周側において互いに接続された状態でコアの内部に収納されている。
【０００３】
そして、第１及び第２巻回部における一方の末端と他方の末端とがそれぞれ上下となるように配置され、コアの外側に開口した開口部から外部へとそれぞれ引き出される。
【先行技術文献】
【特許文献】
【０００４】
【特許文献１】特開２０１４−３３０３７号公報
【発明の概要】
【発明が解決しようとする課題】
【０００５】
しかしながら、上述したように巻回されたコイルには、弾性変形によって元に戻ろうとする力（スプリングバック）が径方向外側へと働くため、例えば、巻回されたコイルからなる第１及び第２巻回部をコア内に組み付ける際、作業者が前記コイルの外周方向への拡がりを抑えながら作業を行う必要があり、しかも、前記コイルの末端をそれぞれ引出溝に対応した位置へと組み付ける必要があるため、組付作業性が悪いという問題がある。
【０００６】
本発明は、前記の課題を考慮してなされたものであり、コアに対するコイルの組立作業性を向上させることが可能なリアクトルを提供することを目的とする。
【課題を解決するための手段】
【０００７】
前記の目的を達成するために、本発明の態様は、軸方向に２段となる第１及び第２巻層を有し、第１及び第２巻層がα巻きでボビンに巻回されたコイルと、ボビンと共にコイルの収容されるコアとを備え、第１巻層が軸方向上段、第２巻層が軸方向下段に配置されるリアクトルにおいて、
第１巻層の最外周部位から径方向外側へと延在し、コアの開口部から外部へと引き出される第１コイル端子と、
第２巻層の最外周部位から径方向外側へと延在し、コアの開口部から外部へと引き出される第２コイル端子と、
第１コイル端子及び第２コイル端子の先端と最外周部位との間において、コイルの軸方向に一部が重なるように交差した交差部と、
を備え、
第１コイル端子は、交差部から先端に向けて軸方向上段から軸方向下段へと折曲され延在する第１延在部を備え、第２コイル端子は、交差部から先端に向けて軸方向下段から軸方向上段に向けて折曲され延在する第２延在部を備える。
【０００８】
本発明によれば、第１及び第２巻層がα巻きでボビンに巻回されたコイルと、該コイルの収容されるコアとを備え、このコイルは、第１巻層の最外周部位から径方向外側へと延在しコアの開口部から外部へと引き出される第１コイル端子と、第２巻層の最外周部位から径方向外側へと延在して開口部から外部へと引き出される第２コイル端子と、第１及び第２コイル端子の先端と最外周部位との間に形成され、コイルの軸方向において一部が重なるように交差した交差部とを有している。
【０００９】
そして、第１コイル端子は、交差部から先端に向けて軸方向上段から軸方向下段へと折曲されて延在する第１延在部を備え、第２コイル端子は、交差部から先端に向けて軸方向下段から軸方向上段に向けて折曲され延在する第２延在部を備えている。
【００１０】
従って、第１コイル端子と第２コイル端子とが、交差部と先端との間に形成された第１及び第２延在部によって上下方向に交差するように形成されているため、第１及び第２コイル端子に対してスプリングバックが働く際に、交差するように設けられた第１コイル端子と第２コイル端子とが互いに接近する方向へと移動して接触することとなる。
【００１１】
その結果、巻回されたコイル（第１及び第２巻層）がスプリングバックによって径方向外側へと拡がろうとした場合でも、第１コイル端子と第２コイル端子とを互いに接触した状態とし、コイルの拡がりを好適に規制することができるため、作業者がコイルのスプリングバックを抑えながら組み付ける必要のあった従来のリアクトルと比較し、コアに対してコイルを容易且つ確実に組み付けることができ組付作業性を向上できる。
【発明の効果】
【００１２】
本発明によれば、以下の効果が得られる。
【００１３】
すなわち、第１及び第２巻層の最外周部位から径方向外側へと延在した第１及び第２コイル端子は、それぞれの先端と最外周部位との間に、コイルの軸方向において一部が重なるように交差した交差部を有し、第１コイル端子は、交差部から先端に向けて軸方向上段から軸方向下段へと折曲され延在する第１延在部を備え、第２コイル端子は、交差部から先端に向けて軸方向下段から軸方向上段に向けて折曲され延在する第２延在部を備える。
【００１４】
そのため、コイルに生じるスプリングバックによって第１コイル端子と第２コイル端子とが互いに離間する方向に付勢された場合でも、交差するように配置された第１及び第２延在部とを接触させることで、接触方向にスプリングバック力が付勢されるためコイルの径方向外側への拡がりを好適に規制することができる。その結果、コイルのスプリングバックを抑えながら組み付ける必要のあった従来のリアクトルと比較し、コイルをコアに対して容易且つ確実に組み付けることができるため組付作業性の向上を図ることが可能となる。
【図面の簡単な説明】
【００１５】
【図１】本発明の実施の形態に係るリアクトルの外観斜視図である。
【図２】図１に示すリアクトルの全体平面図である。
【図３】図３Ａは、図１のリアクトルにおける第１及び第２端部近傍の拡大側面図であり、図３Ｂは、図３Ａの第１及び第２端部近傍を示す拡大正面図である。
【図４】変形例に係るリアクトルの全体平面図である。
【発明を実施するための形態】
【００１６】
本発明に係るリアクトルについて好適な実施の形態を挙げ、添付の図面を参照しながら以下詳細に説明する。図１において、参照符号１０は、本発明の実施の形態に係るリアクトルを示す。
【００１７】
このリアクトル１０は、図１及び図２に示されるように、その両端が外周側から引き出されα巻きで巻回されたコイル１２と、該コイル１２が外周側に巻回されるボビン１４と、前記コイル１２及び前記ボビン１４の収納されるコア１６とを含む。
【００１８】
コイル１２は、例えば、エナメル等の絶縁被膜で覆われ導電性を有した平角導線が用いられ、その幅広面が径方向となるように、上下方向に２層にわたってα巻きでボビン１４の外周側へと巻回されている。このボビン１４は、例えば、樹脂製材料から円筒状に形成され、その内部には後述するコア１６の軸部３０が挿通されている。
【００１９】
詳細には、コイル１２は、それぞれ複数回巻回される上層（第１巻層）２２及び下層（第２巻層）２４が形成され、上層２２の端部である第１端部１８及び下層２４の端部である第２端部２０が外側に向かって引き出される。コイル１２の途中には、上層２２及び下層２４をつなぐ部位が設けられる。そして、コイル１２における上層２２及び下層２４は同一の巻き数で形成され、その最外周径が略同一となるように形成される。
【００２０】
このように、コイル１２は、巻回方向に沿った一端となる第１端部１８が、２層のうちの上層２２の巻回部位において最も外周側となる最外周部位２２ａから径方向外側へと引き出され、他端となる第２端部２０が２層のうちの下層２４の巻回部位において最も外周側となる最外周部位２４ａから径方向外側へと引き出される。
【００２１】
また、第１及び第２端部１８、２０は、図２に示されるようにコイル１２の軸方向（図１中、矢印Ａ１、Ａ２方向）から見て交差するように延在し、両者の交差した部位が交差部２６となると共に、図３Ａに示される第１及び第２端部１８、２０の延在方向と直交する方向から見て、該第１端部１８は、軸方向上側となる上層２２から下方（下層２４側、矢印Ａ２方向）へと折曲され、前記第２端部２０は、軸方向下側となる下層２４から上方（上層２２側、矢印Ａ１方向）へと折曲される。
【００２２】
これにより、第１端部１８の屈曲部位と第２端部２０の屈曲部位とが断面略Ｘ状に交差し、互いに対向する側面同士が面接触で当接した接触部２８が形成される（図２参照）。すなわち、第１端部１８と第２端部２０とは、上下方向（矢印Ａ１、Ａ２方向）にも交差するように形成されている。
【００２３】
そして、第１及び第２端部１８、２０は、接触部２８よりも先端側がコイル１２の径方向外側へと折曲され、それぞれ一直線状に延在した第１及び第２延在部１８ａ、２０ａを有し、図３Ｂに示されるように、それぞれの先端が上下方向（矢印Ａ１、Ａ２方向）にオフセットし、且つ、厚さ方向（矢印Ｂ方向）にオフセットした状態で平行に配置される。
【００２４】
コア１６は、図１及び図２に示されるように、例えば、磁性材料から断面略円形状に形成され、その中心には上方（矢印Ａ１方向）に向かって突出した円柱状の軸部３０が形成され、該軸部３０の外周側には、コイル１２の巻回されたボビン１４が挿入され収納される収納空間３２を有している。
【００２５】
また、コア１６には、軸部３０の外周側に形成された収納空間３２から外側に向かって延在する引出溝（開口部）３４を有し、該引出溝３４には、前記コイル１２の第１及び第２端部１８、２０が挿通され外部へと引き出される。なお、コイル１２における交差部２６及び接触部２８は、引出溝３４に対して外側となる位置に設けられている。
【００２６】
以上のように、本実施の形態では、上層２２及び下層２４の２段となるようにα巻きでボビン１４に巻回されたコイル１２と、該コイル１２の収容されるコア１６とを備え、前記コイル１２における第１端部１８及び第２端部２０を上層２２及び下層２４の最外周部位２２ａ、２４ａからそれぞれ径方向外側へと延在させ、且つ、該コイル１２の軸方向から見て交差させると共に、該第１端部１８を軸方向上段から下方へと折曲させて延在させ、前記第２端部２０を軸方向下段から上方へと折曲させて延在させている。
【００２７】
従って、上層２２及び下層２４から径方向外側へと取り出された第１及び第２端部１８、２０を、コイル１２の軸方向から見て交差させた後に、上下方向にも交差するように折曲させ延在させることで、前記コイル１２に働くスプリングバックによって互いに接近する方向に付勢され、第１及び第２端部１８、２０が互いに接近する方向（内向き）へと移動して接触部２８で互いに接触させることができる。
【００２８】
これにより、巻回されたコイル１２がスプリングバックによって径方向外側へと拡がろうとした場合でも、第１端部１８と第２端部２０とが接触部２８で互いに接触した状態で維持されるため、前記コイル１２の拡がりを好適に規制することができる。
【００２９】
その結果、コイル１２をコア１６に対して組み付ける際、該コイル１２の巻回状態が接触部２８での接触作用下に維持されているため、作業者がコイル１２のスプリングバックを抑えながら組み付ける必要のあった従来のリアクトルと比較し、コイル１２を容易且つ確実に組み付けることが可能となり組付作業性の向上を図ることができると共に、第１及び第２端部１８、２０をコア１６から所定の位置で外部へと取り出すことができる。
【００３０】
また、コイル１２の拡がりを他の部材を用いることなく抑制することが可能であるため、例えば、スプリングバックを抑えるための部材を別に設ける場合と比較し、部品点数及び製造コストの削減を図ることが可能となる。
【００３１】
さらに、上述したリアクトル１０では、絶縁被膜で覆われた第１端部１８と第２端部２０とをコア１６の外部において接触部２８を介して互いに直接当接させる構成としているが、例えば、図４に示されるリアクトル５０のように、コイル１２における第１端部１８と第２端部２０との間に樹脂製材料やセラミック等からなる絶縁部材５２を設けることで直接接触することを回避するようにしてもよい。
【００３２】
このリアクトル５０では、第１端部１８と第２端部２０とがスプリングバックによって互いに接近する方向へと付勢されることで、両者の間に絶縁部材５２が好適に挟持される。そして、第１及び第２端部１８、２０には、その表面に絶縁被膜が施されており絶縁性を維持されているが、両者の間に絶縁部材５２を設けて物理的に非接触とすることでより高い絶縁効果が得られる。
【００３３】
なお、本発明に係るリアクトルは、上述の実施の形態に限らず、本発明の要旨を逸脱することなく、種々の構成を採り得ることはもちろんである。また、上述した説明では、第１及び第２端部１８、２０を、接触部２８よりも先端側でコイル１２の径方向外側へと折曲しているが、例えば、その折曲角度を任意の角度とすることも可能である。
【符号の説明】
【００３４】
１０、５０…リアクトル              １２…コイル
１４…ボビン                        １６…コア
１８…第１端部                      ２０…第２端部
２２…上層                          ２４…下層
２６…交差部                        ２８…接触部
３４…引出溝                        ５２…絶縁部材
【図１】
2020202215.tif 000003
【図２】
2020202215.tif 000004
【図３】
2020202215.tif 000005
【図４】
2020202215.tif 000006